(57)【要約】【課題】操作レバーの回動動作によっても電気部品から引き出される電気配線の被覆層が剥がれないようにして、短絡事故や断線事故の起こる危険性をなくした弾球遊技機における打球力調整ハンドルを提供する。【解決手段】操作レバー１０の中央に両端側が開放される筒状の軸筒部１４，４３，４４を設け、把持部８内の仕切り壁１１に軸筒部１４の基端側が回動自在に嵌合し該軸筒部１４内と連通する透孔１３を開設した軸受凹部１２を設け、軸筒部１４の外周面と該軸筒部１４に近接して配置されかつ打球の打球力を調整できる可変抵抗器１８の調整軸部１９の外周面とに互いに連係すると共に軸筒部１４の回動動作に伴い該調整軸部１９が連動して回動する連動手段１６ａ，１６ｂ，１７，２１，２２ａ，２２ｂを設け、操作レバー１０の先端側の電気部品３４ａ，５５から引き出される電気配線４２ｄ，４２ｅを軸筒部１４，４３，４４に挿通して基端側の把持部８へ導くようにした。【選択図】図６
2008264235.tif 000002
【特許請求の範囲】
【請求項１】
取付側となる基端側の把持部と、先端側のキャップ部と、前記把持部とキャップ部との間に介装されその隙間に沿って回動する操作レバーと、からなり、前記操作レバーの先端側に接触端子または配線基板といった電気部品が設けられると共に該電気部品から引き出される電気配線を基端側の把持部へ導くようにした弾球遊技機における打球力調整ハンドルであって、
前記操作レバーの中央に基端側と先端側が開放される筒状の軸筒部を設け、前記把持部内の仕切り壁に前記軸筒部の基端側が回動自在に嵌合し該軸筒部内と連通する透孔を開設した軸受凹部を設け、前記軸筒部の外周面と該軸筒部に近接して配置されかつ回動することにより打球の打球力を調整できる可変抵抗器の調整軸部の外周面とに、互いに連係すると共に前記軸筒部の回動動作に伴い前記調整軸部を連動させる連動手段を設け、前記操作レバーの先端側の前記電気部品から引き出された前記電気配線を前記操作レバーの前記軸筒部に挿通して基端側の把持部へ導くようにしたことを特徴とする弾球遊技機における打球力調整ハンドル。
【発明の詳細な説明】
【技術分野】
【０００１】
本発明は、弾球遊技機の前面に配置され、打球発射部から遊技盤面に打ち込まれる打球の打球力を調整する弾球遊技機における打球力調整ハンドルに関するものである。
【背景技術】
【０００２】
従来、弾球遊技機の一種であるパチンコ遊技機の打球力調整ハンドル、特にタッチスイッチ式のものとして次のようなものがある。すなわち、該打球力調整ハンドルは、遊技盤取付枠に取着される基端側の把持部と、先端側のキャップ部と、把持部とキャップ部との間に介装される操作レバーとから大略構成される。操作レバーの中央に基端側へ突出する主軸が取着され、該主軸は把持部内に設けられた軸孔に挿通されると共にその端部にプーリが取着される。該プーリには、槌による打球の打球力を調整するための弾力調整器と繋がるワイヤが掛止されており、操作レバーを一方へ回動することにより主軸が回動し、これに伴いワイヤを介して弾力調整器を作動させ槌による打球の打球力が調整できるようになっている。
【０００３】
また、前記操作レバーの先端側であってキャップ部内に配線基板が配設され、該配線基板に遊技者が打球力調整ハンドルを手で触ることにより作動するタッチスイッチ回路が形成されている。該配線基板から引き出された電気配線は、操作レバーの外周縁部に沿って開設された円弧状孔に挿通され基端側の把持部へ導かれる（例えば、特許文献１参照。）。
【０００４】
【特許文献１】特開平６−２７７３３７号公報（第２−３頁段落０００８〜段落００１７、図１乃至図５）
【発明の開示】
【発明が解決しようとする課題】
【０００５】
前記特許文献１の弾球遊技機における打球力調整ハンドルにあっては、先端側のキャップ部内に配設されタッチスイッチ回路が形成される配線基板から引き出された電気配線を、操作レバーに開設される円弧状孔に挿通して把持部側へ導くようにしているので、打球の打球力を調整すべく操作レバーを一方向へ回動させると、電気配線が常に挿通した円弧状孔の内周縁に接触し擦れることになる。このため、打球力調整ハンドルを長く使用していると、その操作レバーの繰り返される回動動作に伴い、その電気配線の被覆層が剥がれて内部の芯線が露出し、短絡事故や断線事故を起こす危険性が非常に高いという改良すべき点があった。
【０００６】
そこで、本発明は前記課題に鑑みてなされたもので、操作レバーの先端側に電気部品が配設される打球力調整ハンドルであって、操作レバーの回動動作によっても電気部品から引き出された電気配線の被覆層が剥がれないようにして、短絡事故や断線事故の起こる危険性をなくした弾球遊技機における打球力調整ハンドルを提供することを目的とするものである。
【課題を解決するための手段】
【０００７】
かかる目的を達成するため、本発明の弾球遊技機における打球力調整ハンドルは、取付側となる基端側の把持部と、先端側のキャップ部と、前記把持部とキャップ部との間に介装されその隙間に沿って回動する操作レバーと、からなり、前記操作レバーの先端側に接触端子または配線基板といった電気部品が設けられると共に該電気部品から引き出される電気配線を基端側の把持部へ導くようにした弾球遊技機における打球力調整ハンドルであって、前記操作レバーの中央に基端側と先端側が開放される筒状の軸筒部を設け、前記把持部内の仕切り壁に前記軸筒部の基端側が回動自在に嵌合し該軸筒部内と連通する透孔を開設した軸受凹部を設け、前記軸筒部の外周面と該軸筒部に近接して配置されかつ回動することにより打球の打球力を調整できる可変抵抗器の調整軸部の外周面とに、互いに連係すると共に前記軸筒部の回動動作に伴い前記調整軸部を連動させる連動手段を設け、前記操作レバーの先端側の前記電気部品から引き出された前記電気配線を前記操作レバーの前記軸筒部に挿通して基端側の把持部へ導くようにしたことを特徴とする。
【発明の効果】
【０００８】
本発明に係る弾球遊技機における打球力調整ハンドルは、操作レバーの中央に基端側と先端側が開放される筒状の軸筒部を設け、把持部内の仕切り壁に軸筒部の基端側が回動自在に嵌合し該軸筒部内と連通する透孔を開設した軸受凹部を設け、操作レバーの先端側の電気部品から引き出された電気配線を操作レバーの中央の軸筒部に挿通して基端側の把持部へ導くようにしたので、操作レバーを回動しても、電気配線は円弧状孔に挿通したときのようにその内周縁に接触し擦れることがなく、操作レバーの回動動作に影響されずに配置されることになる。よって、操作レバーの回動動作に係らず、電気配線の被覆層が剥がれて短絡事故や断線事故の起こる危険性をなくすことができるという効果を奏する。
【発明を実施するための最良の形態】
【０００９】
以下、本発明に係る弾球遊技機における打球力調整ハンドルの実施の形態を図面に基づき説明する。なお、本発明はパチンコ遊技機、雀球遊技機、アレパチ機等の種々の弾球遊技機に適用できるが、その内一実施の形態としてパチンコ遊技機に適用される場合について説明する。
【００１０】
図９は、本発明が適用されるパチンコ遊技機の正面図である。このパチンコ遊技機Ｐは、所謂第１種のパチンコ遊技機であり縦長長方形状の外枠１を有し、該外枠１の前面に遊技盤２を配設した遊技盤取付枠（図示せず。）がその一側を支点にして自在に前後に回動するように軸装される。また、遊技盤取付枠の前面に、前面枠３が同じく一側を支点にして自在に前後に回動するように軸装されている。この前面枠３は遊技盤取付枠の前面の大きさとほぼ同じ大きさを有し、閉めたとき遊技盤取付枠の前面をすべて覆うようになっている。
【００１１】
前面枠３は、合成樹脂製であってその中央に遊技盤２前面の遊技部２ａが臨む略縦長長方形状の窓開口４が開設され、その周囲が前方へ突出する斬新なデザインに形成されている。窓開口４には前後２枚の透明板からなる透明板ユニット５が配置され、該窓開口４を塞いでいる。窓開口４の下方に、前方へ張り出されるようにして打球発射部（図示せず。）に供給する遊技球を貯留するための球受皿６が一体に設けられる。また、前面枠３の下部一側に、打球発射部から遊技盤２面の遊技部２ａに発射される遊技球としての打球の打球力を調整する打球力調整ハンドル７が装着されている。そして、打球力調整ハンドル７を回動動作することにより、打球発射部から遊技盤２前面の遊技部２ａに打ち出される打球の打球力の強弱が調節できるようになっている。
【００１２】
打球力調整ハンドル７は、合成樹脂製であって、図１に示すように前面枠３に固着される基端側の把持部８と、先端側のキャップ部９と、把持部８とキャップ部９との間に介装されその隙間に沿って回動する操作レバー１０とから大略構成される。次に、これら把持部８、キャップ部９及び操作レバー１０について順に詳しく説明する。
【００１３】
図２及び図６に示すように、把持部８は先端部が椀状に広がる略円筒状をなす把持部本体８ａを有し、把持部本体８ａは先端面と基端面とが開放する空洞状に形成される。そして、その内部の先端側寄りに、その中心軸線に対して直交する仕切り壁１１が設けられる。仕切り壁１１の中央に基端側へ窪む円筒状の軸受凹部１２が設けられ、該軸受凹部１２の底面に透孔１３が開設される。軸受凹部１２には、先端面と基端面とが開放される軸筒部としての軸筒部材１４がその先端側から回動自在に嵌合される。該軸筒部材１４は、その外周面に環状大径段部１５ａと、その先端側に隣接するように位置して該環状大径段部１５ａと同心円状をなす環状小径段部１５ｂと、を有し、図５に示すように環状大径段部１５ａの外周端面にその周方向に沿って所定の間隔離し連動手段としての複数の歯部１６ａ，１６ｂが設けられる。また、環状小径段部１５ｂの外周端面に、環状大径段部１５ａの複数の歯部１６ａ，１６ｂ間の所定の間隔に合致するようにして連動手段としての複数の歯部１７が設けられる。また、軸筒部材１４の先端側の外周面には、その中心軸線と平行な縦溝１４ａ，１４ａ，１４ａが等間隔に複数本（例えば、３本）凹設される。
【００１４】
仕切り壁１１の基端側面の一側に打球の打球力を調整するための可変抵抗器１８が配置され、該可変抵抗器１８に仕切り壁１１を通過してその先端側へ延びる調整軸１８ａが設けられる。該調整軸１８ａは、軸筒部材１４に近接しかつ平行に位置する。調整軸１８ａには、調整軸部としての従軸筒部材１９が嵌着して設けられる。図５に示すように従軸筒部材１９は、その外周面に従環状大径段部２０ａと、その基端側に隣接するように位置して該従環状大径段部２０ａと同心円状の従環状小径段部２０ｂと、を有し、従環状大径段部２０ａの外周端面にその周方向に沿って連動手段としての複数の歯部２１が設けられる。また、従環状小径段部２０ｂの外周端面には、その周方向に沿って従環状大径段部２０ａの複数の歯部２１の間隔離し連動手段としての複数の歯部２２ａ，２２ｂが設けられる。そして、軸筒部材１４における環状大径段部１５ａの両歯部１６ａ，１６ｂが従軸筒部材１９における従環状小径段部２０ｂの両歯部２２ａ，２２ｂに噛合し、軸筒部材１４における環状小径段部１５ｂの歯部１７が従軸筒部材１９における従環状大径段部２０ａの歯部２１に噛合するようになっている。これにより、軸筒部材１４の回動動作に伴い従軸筒部材１９が回動することになる。
【００１５】
従軸筒部材１９の基端側の外周面の一側に、掛止部２３が設けられる。また、先端側に設けられた突条部１９ａの外周面に、捻りコイルバネ２４が外装される。捻りコイルバネ２４の一端は掛止部２３に掛け止めされ、他端は仕切り壁１１から前方へ突出する保持突起２５の先端にネジ２６により止着されている。よって、軸筒部材１４を回動させるときは、従軸筒部材１９が捻りコイルバネ２４の弾性に抗して回動する。
【００１６】
軸筒部材１４を中心とする従軸筒部材１９の反対側であって仕切り壁１１に支持台２７が設けられ、該支持台２７に作動することにより打球のための回路を遮断して打球の単発打ちを可能とするマイクロスイッチ２８が固着される。また、マイクロスイッチ２８に近接させて、該マイクロスイッチ２８を作動させる揺動部材２９が揺動自在に軸着される。揺動部材２９は、一側端の筒部２９ａを仕切り壁１１に突設した軸ピン３０に嵌着し、他側端の操作片３１を把持部本体８ａの先端外周縁に形成された切欠部３２から外側へ突出させている。マイクロスイッチ２８のレバー２８ａは揺動部材２９に係合しており、揺動部材２９の操作片３１を外側から押して揺動部材２９を揺動させることにより、レバー２８ａが傾動してマイクロスイッチ２８が作動する。また、支持台２７の中央寄りに、軸受凹部１２に嵌合した軸筒部材１４の先端面に当接し得る抜止片２７ａが一体に設けられ、軸筒部材１４が無用に抜けるのを防止している。また、仕切り壁１１には、基端面が開放される筒状の連結部材３３（３３ａ，３３ｂ，３３ｃ）が上部に１本、下部に２本それぞれ先端側へ突出するようにして一体に設けられる。
【００１７】
把持部本体８ａの基端側の内部に、タッチスイッチ３４を設けた枠部材３５が配置される。該枠部材３５は、中央に通孔３５ａが開設されると共に仕切り壁１１から基端側へ突出する突起３６，３６後端にネジ３７を螺締することにより固定される。また、把持部本体８ａの基端面には、該基端面を開閉する蓋部材３８が設けられる。蓋部材３８の先端側面に、第一配線基板３９が取着される。また、蓋部材３８の両側にネジ挿通孔３８ａ，３８ａが設けられ、これらネジ挿通孔３８ａ，３８ａを把持部本体８ａの基端面にこれらに対応して設けられたネジ孔４０，４０に合致させ、各ネジ挿通孔３８ａを介して各ネジ孔４０にネジ４１を螺締することにより蓋部材３８が取付けられる。そして、第一配線基板３９に設けた１つのコネクタから引き出される電気配線４２ａが可変抵抗器１８に接続され、他のコネクタから引き出される電気配線４２ｂがタッチスイッチ３４に接続される。また、他のコネクタから引き出される電気配線４２ｃがマイクロスイッチ２８に接続される。
【００１８】
図３及び図６に示すように、操作レバー１０は導電処理が施されており、その底壁１０ａの先端側の中央に先端面が開放される円筒状の軸筒部としての短支持筒部４３が突設され、底壁１０ａの基端側の中央に基端面が開放される円筒状の軸筒部としての保持筒部４４が短支持筒部４３と同心円状をなすようにして突設される。短支持筒部４３は保持筒部４４よりも小径に形成され、その間の底壁１０ａに短支持筒部４３の内部と保持筒部４４の内部とが連通する挿通孔４５が開設されている。保持筒部４４には軸筒部材１４の先端部が嵌合するようになっており、その内周面に軸筒部材１４外周面の各縦溝１４ａに嵌まる縦突条４４ａが設けられる。これにより、操作レバー１０の回動動作と共に軸筒部材１４が常に一体に回動動作することになる。
【００１９】
操作レバー１０の底壁１０ａの先端側面に、タッチスイッチ３４から引き出された電気配線４２ｄ先端の電気部品としての接触端子３４ａがネジ３４ｂにより止着される。この電気配線４２ｄは、保持筒部４４、短支持筒部４３及び軸筒部材１４内に挿通されタッチスイッチ３４に接続される。また、その底壁１０ａの外周に沿って１本の連結部材３３（３３ａ）又は２本の連結部材３３（３３ｂ），３３（３３ｃ）がそれぞれ遊嵌し得る二つの円弧状孔４６ａ，４６ｂが開設され、外周縁にはその外周に沿って複数の指掛け部４７，４７，…が突設されている。
【００２０】
図４及び図６に示すように、キャップ部９は透明な合成樹脂材により成形されるキャップ本体９ａを有し、該キャップ本体９ａは空洞状をなし基端面が開放する半円形に形成されている。また、その内周面には放射線状にスプラインが形成され、透過する光が乱反射するようになっている。そして、キャップ本体９ａ内の基端開放側に、その基端開放口を塞ぐ大きさのリフレクター４８が配置固定される。リフレクター４８は短円筒状をなすと共に外表面が鏡面仕上げされ、かつ、基端面が開放すると共に先端壁面が中央に向かって窪む凹弧面４８ａに形成されている。また、凹弧面４８ａには、その外周縁と同心円輪郭上に等間隔に並ぶ透過孔４９，４９，…が開設され、中央に取出口５０が開設される。
【００２１】
リフレクター４８の基端面に、その基端面を塞ぐようにして固定部材５１が重ねられる。固定部材５１は、円板状をなしその中央に基端側が底壁５２ａにより塞がれ、先端面側が開放される短円筒状の収容凹部５２が形成されている。収容凹部５２には先端側からモータ５３が内装され、該モータ５３のモータ軸５３ａが先端側へ突出している。また、収容凹部５２における底壁５２ａの基端側面に該基端側面と同心円状をなす環状軸受リブ５４が突設され、この環状軸受リブ５４に操作レバー１０の短支持筒部４３が嵌着する。
【００２２】
固定部材５１の先端側面に略ドーナツ板状の電気部品としての第二配線基板５５が配置され、更に、その先端側面に第二配線基板５５中央のくり貫き部５５ａに嵌まり、モータ５３が飛び出ないように保持する押圧板部材５６が設けられる。押圧板部材５６はくり貫き部５５ａに嵌まる小円板部５６ａを有し、小円板部５６ａの対向する両側に腕片５６ｂ，５６ｂが突設される。そして、モータ５３を押圧板部材５６により押さえた状態で、両腕片５６ｂ，５６ｂに開設されたビス挿通孔５７及び第二配線基板５５に開設されたビス挿通孔５８を介し、これらに対向位置して設けられた固定部材５１のネジ孔５９にネジ６０を螺締することにより、固定部材５１にモータ５３や第二配線基板５５が固定される。
【００２３】
モータ５３のモータ軸５３ａは、押圧板部材５６の中央に設けられた円孔５６ｃを介して先端側へ突出しており、更に、押圧板部材５６からモータ軸５３ａに沿って支持杆６１が突設され、該支持杆６１の先端に発光体であるＬＥＤ６２が設けられる。第二配線基板５５の前面にも、リフレクター４８の各透過孔４９に対向位置して発光体である複数のＬＥＤ６２が配設される。固定部材５１の先端側面にリフレクター４８を被せて重ねた状態で、基端側から固定部材５１に設けたネジ挿通孔５１ａ，５１ａを介し各ネジ挿通孔５１ａに対応位置して、リフレクター４８の基端側に設けられたネジ孔６３にネジ６４を螺締することにより、固定部材５１にリフレクター４８が一体に取付けられる。
【００２４】
この際、リフレクター４８の取出口５０からモータ軸５３ａが突設し、その先端に支持杆６１に設けられたＬＥＤ６２の一側面を除きその周囲を囲う遮蔽部材６５が固着される。遮蔽部材６５は、その全面に鏡面処理が施されている。そして、モータ５３の駆動により回転するモータ軸５３ａと共に遮蔽部材６５が回転し、丁度パトライトのようにして周囲を照らすことになる。固定部材５１の外周縁部には等間隔に法線方向のネジ孔６６が設けられ、キャップ本体９ａの基端側からリフレクター４８を挿入し、キャップ本体９ａの外周縁部に固定部材５１の各ネジ孔６６と対向位置させて設けられたネジ挿通孔６７を介して各ネジ孔６６にネジ６８を螺締することにより、リフレクター４８がキャップ本体９ａに内装される。第二配線基板５５のコネクタから引き出された電気配線４２ｅやモータ５３から引き出された電気配線４２ｅは、いずれも固定部材５１の底壁５２ａに設けられた引出口５２ｂから基端側へ引き出される。
【００２５】
キャップ本体９ａの先端部には取付凹部６９が形成され、該取付凹部６９に先端側から装飾板７０が嵌め込まれる。装飾板７０の基端面にネジ孔７１が設けられ、キャップ本体９ａにネジ孔７１と対応して設けられたネジ挿通孔７２を介してネジ孔７１にネジ７３を螺締することにより、装飾板７０がしっかりと固定される。
【００２６】
そして、把持部本体８ａにその先端側から操作レバー１０を嵌め込み、操作レバー１０の保持筒部４４を軸筒部材１４の先端部に嵌着する。更に、その先端側からキャップ部９を嵌め、キャップ部９の基端側の環状軸受リブ５４を操作レバー１０の短支持筒部４３に嵌着し、把持部本体８ａの一本の連結部材３３（３３ａ）と二本の連結部材３３（３３ｂ），３３（３３ｃ）をそれぞれ円弧状孔４６ａ，４６ｂに遊嵌させる。同時に、環状軸受リブ５４に捻りコイルバネ７４を外装し、その一端を操作レバー１０の先端側面に設けた掛止片７５に掛け止めし、他端を把持部本体８ａ内の中央下部に設けられた係止突起７６の前端に螺合されるネジ７７に巻回して止着する。これにより、操作レバー１０は、常に回動前位置側へ付勢されることになる。更に、把持部本体８ａの各連結部材３３（３３ａ，３３ｂ，３３ｃ）の先端面に開設されたネジ挿通孔７８を介し、該各ネジ挿通孔７８と対応位置して固定部材５１の基端側面に設けられた各ネジ孔７９にネジ８０を螺締する。
【００２７】
また、キャップ部９内のモータ５３や第二配線基板５５のコネクタから引き出された電気配線４２ｅは、操作レバー１０の保持筒部４４及び軸筒部材１４内を通過して把持部８の基端側へ導かれる。前記可変抵抗器１８、マイクロスイッチ２８、タッチスイッチ３４、モータ５３及びＬＥＤ６２はいずれも電気的に制御される。例えば、図示は省略するが、タッチスイッチ３４が作動すると、打球を遊技盤２面の遊技部２ａに打ち込むロータリソレノイド（図示せず。）が往復動し、打球発射部に位置する打球を連続的に打ち出すことになる。
【００２８】
そこで、遊技者が打球力調整ハンドル７に触ってない状態では、図７（イ）に示すように連結部材３６（３６ａ）が一方の円弧状孔４６ａの上縁に当接して操作レバー１０が停止している。また、図８（イ）に示すように操作レバー１０と連動する軸筒部材１４の外周面に設けられた環状大径段部１５ａの一方の歯部１６ａと、従軸筒部材１９における従環状小径段部２０ｂの一方の歯部２２ａと、が互いにその中央部で噛合している。
【００２９】
この状態で、遊技者がパチンコ遊技機Ｐの前面に座り、球受皿６に遊技球を貯留して操作レバー１０に触ると、タッチスイッチ３４が作動して打球発射部に位置する打球を遊技盤２の遊技部２に打ち込むためのロータリーソレノイド（図示せず。）が往復動作を繰り返し、打球発射部にある打球を一個ずつ遊技部２ａに向かって発射することになる。そして、その打球力を調整すべく操作レバー１０を図７（ロ）に示すように時計回り方向へ所定量回動させて遊技が行なわれる。
【００３０】
これによって、図８（イ）に示されるような軸筒部材１４の受凹部１２の環状大径段部１５ａの一方の歯部１６ａと従軸筒部材１９の従環状小径段部２０ｂの一方の歯部２２ａとの噛合が終わり、軸筒部材１４の環状小径段部１５ｂの歯部１７と従軸筒部材１９の従環状大径段部２０ａの歯部２１とが噛合する。更に、その回動量を増やすと、図８（ロ）に示されるように軸筒部材１４の環状大径段部１５ａの他方の歯部１６ｂと従軸筒部材１９の従環状小径段部２０ｂの他方の歯部２２ｂとが互いに噛合するようになる。これらの場合、いずれも捻りコイルバネ７４により操作レバー１０が図８（イ）において反時計周り方向へ付勢されており、同時に従軸筒部材１９は時計回り方向へ付勢されている。
【００３１】
本発明では、軸筒部材１４の環状大径段部１５ａに設けた一対の歯部１６ａ，１６ｂと従軸筒部材１９の従環状小径段部２０ｂに設けた一対の歯部２２ａ，２２ｂとを噛合させ、軸筒部材１４の環状小径段部１５ｂに設けた歯部１７と従軸筒部材１９の従環状大径段部２０ａに設けた歯部２１とを噛合させている。しかも、軸筒部材１４の環状小径段部１５ｂに設けた歯部１７と従軸筒部材１９の従環状大径段部２０ａに設けた歯部２１とは噛合状態の精度が高く設定されている。これは次の理由による。
【００３２】
すなわち、操作レバー１０を回動させて打球の打球力を調整する場合、打球が弱く打たれ該打球が遊技盤２面の遊技部２ａの手前側にしかとどかないときと打球が強く打たれ該打球が遊技部２ａの奥側まで達するときは、いずれも打球が入賞する機会は少ない。これに対し、遊技部２ａの中央上部に打球が達するときが入賞する機会が多い。よって、通常、遊技者はその中間位置部位で操作レバーの回動角度を決定することから、その範囲では、精度が高められた軸筒部材１４の環状小径段部１５ｂに設けた歯部１７と従軸筒部材１９の従環状大径段部２０ａに設けた歯部２１とを噛合させて、操作レバー１０の微妙な角度調整が行い易くしている。
【００３３】
また、遊技の途中に、遊技者にとって有利な特別遊技状態、例えば大当り状態になると、第二配線基板５５の先端側面の各ＬＥＤ６２や支持杆６１の先端のＬＥＤ６２が点灯または点滅し、しかも、モータ５３が駆動してモータ軸５３ａ先端の遮蔽部材６５が回転する。これにより、それら変化にとんだ光がキャップ本体９ａを透過して、遊技者の手の中から光を放つことになる。これにより、大当りなどの状態になって遊技者の心の高まりや満足感を助長させることができ、遊技の興趣を高められる。
【００３４】
このように、本発明は、操作レバー１０の中央に基端側と先端側が開放される筒状の軸筒部である軸筒部材１４、短支持筒部４３、保持筒部４４を設け、把持部８内の仕切り壁１１に軸筒部の基端側が回動自在に嵌合し該軸筒部内と連通する透孔１３を開設した軸受凹部１２を設けた。また、操作レバー１０の先端側の電気部品である接触端子３４ａ、第二配線基板５５から引き出される電気配線４２ｄ，４２ｅを操作レバー１０の中央の軸筒部に挿通して基端側の把持部８へ導くようにした。これにより、操作レバー１０を回動しても、電気配線４２ｄ，４２ｅは円弧状孔４６ａ，４６ｂに挿通したときのようにその内周縁に接触し擦れることがなく、操作レバー１０の回動動作に影響されずに配置されることになる。よって、操作レバー１０の回動動作に係らず、電気配線４２ｄ，４２ｅの被覆層が剥がれて短絡事故や断線事故の起こる危険性をなくすことができる。
【００３５】
なお、軸筒部材と従軸筒部材との連動手段として歯部を設けたが、これに限らず例えば軸筒部材と従軸筒部材とに掛け渡されるベルト等の他の手段を用いても良い。また、槌によって打球発射部に位置する打球を発射させるタイプの弾球遊技機、または、本発明のようにロータリソレノイドによって打球発射部に位置する打球を発射させるタイプの弾球遊技機のいずれにも本発明が適用できる。
【図面の簡単な説明】
【００３６】
【図１】本発明に係る打球力調整ハンドルの斜視図。
【図２】把持部の分解斜視図。
【図３】操作レバーの分解斜視図。
【図４】キャップ部の分解斜視図。
【図５】軸筒部材及び従軸筒部材の斜視図。
【図６】打球力調整ハンドルの取り付け状態の平面断面図。
【図７】（イ）（ロ）は操作レバーの動作を示す説明図。
【図８】（イ）（ロ）は軸筒部材と従軸筒部材の歯部の噛合状態を示す説明図。
【図９】本発明が適用されるパチンコ遊技機の正面図。
【符号の説明】
【００３７】
７      打球力調整ハンドル
８      把持部
９      キャップ部
１０    操作レバー
１１    仕切り壁
１２    軸受凹部
１３    透孔
１４    軸筒部（軸筒部材）
１６ａ  連動手段（歯部）
１６ｂ  連動手段（歯部）
１７    連動手段（歯部）
１８    可変抵抗器
１９    調整軸部（従軸筒部材）
２１    連動手段（歯部）
２２ａ  連動手段（歯部）
２２ｂ  連動手段（歯部）
３４ａ  電気部品（接触端子）
４２ｄ  電気配線
４２ｅ  電気配線
４３    軸筒部（短支持筒部）
４４    軸筒部（保持筒部）
５５    電気部品（第二配線基板）
Ｐ      弾球遊技機（パチンコ遊技機）
【図１】
2008264235.tif 000003
【図２】
2008264235.tif 000004
【図３】
2008264235.tif 000005
【図４】
2008264235.tif 000006
【図５】
2008264235.tif 000007
【図６】
2008264235.tif 000008
【図７】
2008264235.tif 000009
【図８】
2008264235.tif 000010
【図９】
2008264235.tif 000011